(57)【特許請求の範囲】
【請求項１】
複数のボトルを保持させ、持ち運びに使用するボトル保持具であって、該ボトル保持具が、プラスチックの成形体で形成され、且つ、ボトルを保持する複数のボトル保持部と、各ボトル保持部を連結する連結部と、該連結部に設けられる把手部とで形成され、前記ボトル保持部が、ボトルのキャップ部外周を両側から挟んで保持する円弧状二股の弾性腕部と、該弾性腕部の内側下部に設けられ、キャップの下側またはボトル口部の基部に設けられた鍔状凸部の下側に係合してボトルを係止する突起部とで形成され、
前記連結部は、少なくともその長さ方向の中間部に直方体形状部を有し、該直方体形状部の内側には適宜の数の縦方向の穴が設けられ、強度を有し且つ樹脂の使用量を少なくできるようハニカム形状に形成され、
該直方体形状部の両側下部には、薄肉部を介して上方に折り曲げ可能に前記把手部が設けられ、該把手部は、前記薄肉部に続く下部が前記直方体形状部の側面に沿う板状体で形成され、中間部に前記直方体形状部の上面に乗り上げて嵌合する折れ曲がり部と、それに続いて斜め上方に向く傾斜部とが設けられ、該傾斜部に続く上部には環状の握り部が設けられて構成されると共に、
前記複数のボトル保持部と各ボトル保持部を連結する連結部と連結部の直方体形状部の両側下部に薄肉部を介して設けられる把手部とが、射出成形により一体化成形されて形成されていることを特徴とするボトル保持具。
【発明の詳細な説明】
【０００１】
【発明の属する技術分野】
本発明は、ボトルなどを係止させて保持する保持具に関し、更に詳しくは、ボトル詰め商品を購入者が複数本まとめて保持し、持ち帰る際などに好適に使用できるボトル保持具に関するものである。
【０００２】
【従来の技術】
従来、プラスチックボトル入りのヘアシャンプー、コンディショナーなどは、例えば各１本ずつ、２本をセットにして販売されることが増えており、このような場合、購入者が持ち帰りやすいように把手付きのビニール袋に入れて販売されていた。
【０００３】
【発明が解決しようとする課題】
しかしながら、前記ボトル入りのヘアシャンプー、コンディショナーなどは、通常、７００〜８００ｍｌ程度が充填されており、２本セットにすると重量も重くなるため、これを収納する把手付きのビニール袋は、厚手のフィルムを用いて角形に製袋し、これにしっかりした把手を取り付けて十分な強度を持たせたものが使用されていた。このため把手付きのビニール袋がコスト面で割高になる問題があった。
【０００４】
本発明は、このような問題点を解決するためになされたものであり、その目的とするところは、複数本のボトルをまとめて保持し、持ち運びすることのできるボトル保持具であって、従来の把手付き角形のビニール袋よりもコストを低減することができ、且つ、ボトルの装着および取り外しが容易で、ボトルを持ち運ぶ際には外れにくく、また、十分な強度を有し、安全にボトルを持ち運びすることのできるボトル保持具を提供することにある。
【０００５】
【課題を解決するための手段】
上記の課題は、以下の本発明により解決することができる。
即ち、請求項１に記載した発明は、複数のボトルを保持させ、持ち運びに使用するボトル保持具であって、該ボトル保持具が、プラスチックの成形体で形成され、且つ、ボトルを保持する複数のボトル保持部と、各ボトル保持部を連結する連結部と、該連結部に設けられる把手部とで形成され、前記ボトル保持部が、ボトルのキャップ部外周を両側から挟んで保持する円弧状二股の弾性腕部と、該弾性腕部の内側下部に設けられ、キャップの下側またはボトル口部の基部に設けられた鍔状凸部の下側に係合してボトルを係止する突起部とで形成され、前記連結部は、少なくともその長さ方向の中間部に直方体形状部を有し、該直方体形状部の内側には適宜の数の縦方向の穴が設けられ、強度を有し且つ樹脂の使用量を少なくできるようハニカム形状に形成され、該直方体形状部の両側下部には、薄肉部を介して上方に折り曲げ可能に前記把手部が設けられ、該把手部は、前記薄肉部に続く下部が前記直方体形状部の側面に沿う板状体で形成され、中間部に前記直方体形状部の上面に乗り上げて嵌合する折れ曲がり部と、それに続いて斜め上方に向く傾斜部とが設けられ、該傾斜部に続く上部には環状の握り部が設けられて構成されると共に、前記複数のボトル保持部と各ボトル保持部を連結する連結部と連結部の直方体形状部の両側下部に薄肉部を介して設けられる把手部とが、射出成形により一体化成形されて形成されていることを特徴とするボトル保持具からなる。
【０００６】
このようなボトル保持具は、プラスチックの射出成形により製造することが簡便であり、その製造方法は特に限定はされず、例えば、(1) 前記ボトルを保持する複数のボトル保持部と、各ボトル保持部を連結する連結部と、その連結部に設ける把手部とを別々に射出成形して作製し、それぞれを組み付けて製造してもよく、また、(2) 前記複数のボトル保持部と各ボトル保持部を連結する連結部とを一体化して射出成形し、これに別に射出成形した把手部を組み付けて製造してもよい。更に、(3) 前記複数のボトル保持部と、各ボトル保持部を連結する連結部と、把手部とを一体化して射出成形し、製造することもできる。
【０００７】
前記(1) の製造方法を採った場合は、それぞれを組み付ける必要があるため、組み付けの手間が掛かるが、成形金型をシンプルにできるので成形自体を容易に行うことができる。また、前記(2) の製造方法を採った場合は、前記複数のボトル保持部と各ボトル保持部を連結する連結部が予め一体化成形されているため、それに把手部のみを組み付ければよく、組み付けの作業を軽減することができる。そして、前記(3) の製造方法を採った場合は、前記複数のボトル保持部と各ボトル保持部を連結する連結部と把手部とが予め一体化成形されているので、成形金型はやや複雑になるが、各部を組み付ける作業をなくすことができるので、製造工程を簡略化することができる。
従って、製造数量などを含めて全体の製造コストを考慮し、最適の製造方法を採ることが好ましい。
【０００８】
前記のような構成を採ることにより、本発明のボトル保持具は、プラスチックの射出成形により容易に製造することができるので、十分な強度を付与できると共に、製造工程を簡略化でき、安価に製造することができる。
また、内容物が充填された複数本のボトルをボトル保持部で確実に保持させ、把手部で持つことができるので、持ちやすく、且つ、安全に複数本のボトルをまとめて持ち運びすることができる。
【００１１】
請求項１に記載した発明では、前記ボトル保持具の複数のボトル保持部と各ボトル保持部を連結する連結部と把手部とが、射出成形により一体化成形されて形成されている。
【００１２】
このような構成を採ることにより、前記複数のボトル保持部と各ボトル保持部を連結する連結部と把手部の組み付け作業を完全に省略することができるので、特に製造数量が多い場合に適しており、その製造コストを一層低減することができる。
【００１３】
請求項１に記載した発明では、前記ボトル保持部が、ボトルのキャップ部外周を両側から挟んで保持する円弧状二股の弾性腕部と、該弾性腕部の内側下部に設けられ、キャップの下側またはボトル口部の基部に設けられた鍔状凸部の下側に係合してボトルを係止する突起部とで形成されている。
【００１４】
このような構成を採ることにより、ボトル保持具へのボトルの装着は、例えば、ボトルのキャップ部を前記円弧状二股の弾性腕部の間に、外側から押し込む方法で容易に装着することができ、それにより、キャップ部の外周を両側から前記弾性腕部で挟んでボトルを保持し、また、弾性腕部の内側下部に設けられた突起部でキャップ部の下側周縁部を係止して、ボトルを確実に保持させることができる。
【００１５】
【発明の実施の形態】
以下に、本発明の実施の形態について説明する。
本発明のボトル保持具は、先に説明したように、複数のボトルを保持させ、持ち運びに使用するボトル保持具であって、該ボトル保持具が、プラスチックの成形体で形成され、且つ、ボトルを保持する複数のボトル保持部と、各ボトル保持部を連結する連結部と、該連結部に設けられる把手部とで形成されていることを基本とするものであり、このようなボトル保持具は、例えば、プラスチックの射出成形などにより容易に製造することができる。
【００１６】
前記ボトル保持具をプラスチックの射出成形で製造する場合、前記複数のボトル保持部と、各ボトル保持部を連結する連結部と、その連結部に設けられる把手部をそれぞれ別々に成形し、成形した各部材を嵌合またはネジ止めなどにより組み付けて製造してもよく、また、前記複数のボトル保持部と、各ボトル保持部を連結する連結部を一体化成形し、これに別に成形した把手部を嵌合などの方法で組み付けて製造してもよい。更に、前記複数のボトル保持部と、各ボトル保持部を連結する連結部と、その連結部に設けられる把手部の三者を、まとめて一体化成形して製造することもできる。
【００１７】
このようなボトル保持具の製造に用いるプラスチックとしては、例えば、ポリプロピレン、ＡＢＳ樹脂、ポリスチレン、ポリエチレン、ナイロン、ポリエステル、ポリカーボネートなどを使用することができる。
これらの樹脂は、単独で用いてもよく、また、複数の樹脂を適宜ブレンドして使用してもよい。更に、これらの樹脂は、リサイクル樹脂であってもよい。
特に、ボトル保持具の前記連結部と把手部を薄肉部を介してヒンジ状に一体化成形して製造するような場合は、薄肉部のヒンジ適性の点から前記樹脂にはポリプロピレンを用いることが一層好ましい。
【００１８】
【実施例】
以下に、図面を用いて本発明を更に具体的に説明する。但し、本発明は、その要旨を超えない限り以下の図面に限定されるものではない。
図１は、本発明のボトル保持具の一実施例の構成を示す平面図であり、組み立て前の展開図である。
また、図２は、図１に示したボトル保持具の組み立て時（使用時）の形状を示す正面図であり、図３は、図２に示したボトル保持具のＡ−Ａ線における断面図である。
そして、図４は、図２に示したボトル保持具にボトルを装着した状態の一例を示す要部の正面図である。
【００１９】
図１に示したボトル保持具１００は、図において左右両側のボトル保持部１a 、１b と、そのボトル保持部１a 、１b を連結する連結部２と、連結部２の下部の両側（図において上下両側）にヒンジ状に折り曲げ可能な薄肉部６、６を介して連設された把手部３a 、３b が、プラスチックの射出成形により一体化成形されて形成されている。
【００２０】
左右のボトル保持部１a 、１b は、それぞれボトルのキャップ部を両側から抱え込むように保持する二股の弾性腕部４a または弾性腕部４b を有し、且つ、弾性腕部４a 、４b の内側の下部には、それぞれキャップの下側またはボトルの口部の基部に設けられた鍔状凸部の下側に係合してボトルを係止する突起部５a または突起部５b が設けられて構成されている。
尚、上記弾性腕部４a 、４b の形状は、通常、キャップの外周が円形であるため、弾性腕部４a 、４b の内面を、キャップの外周の円形に対応するサイズの円弧状に形成することが好ましく、円弧の長さは円周の１／２以上、４／５以下が好ましく、２／３から３／４の範囲が更に好ましい。
前記円弧の長さが円周の１／２未満の場合は、ボトルの保持性が悪くなり、装着したボトルが外れやすくなるため好ましくない。また、前記円弧の長さが円周の４／５を超える場合は、弾性腕部４a 、４b の弾性にもよるが、ボトルのキャップ部を二股の弾性腕部４a 、４b 内に押し込む際、抵抗力が強くなり、装着が難しくなるため好ましくない。
【００２１】
また、ボトル保持部１a 、１b を連結する連結部２は、この場合、外形が直方体形状であり、その内側には適宜の数の縦方向の穴７が設けられ、強度を有し且つ樹脂の使用量を少なくできるようハニカム形状に形成されている。
尚、連結部２の長さと幅および高さは、両側のボトル保持部１a 、１b で保持するボトルの外径や重量に応じて適宜の寸法に設定できる。
【００２２】
そして、連結部２の下部の両側（図において上下両側）に薄肉部６、６を介して連設された把手部３a 、３b は、ボトル保持具１００の使用時には、図２の正面図、および図３のＡ−Ａ線断面図に示すように、それぞれを薄肉部６、６で上方に折り曲げ、連結部２に嵌合させる方法で組み立てて使用するものである。
従って、把手部３a 、３b は、下部が連結部２の側面に沿う板状体で形成され、中間部に連結部２の上面に乗り上げ嵌合する折れ曲がり部（図３参照）と、その上に斜め上方に向く傾斜部が設けられ、上部に環状の握り部が設けられて構成されている。
【００２３】
このようなボトル保持具１００にボトルを装着する際には、ボトル保持部１a 、１b の外側から、例えば、ボトルのキャップの下側に、二股の弾性腕部４a 、４b の内側下部に設けられた突起部５a 、５b が入り込んでボトルを係止できるようにボトルのキャップ部を横方向に押し込むことにより、図４に示したように、ボトル保持具１００の両側に、ボトル５０、５１を容易に装着することができる。
また、ボトル保持具１００から、装着されたボトルを取り外す際には、装着時とは逆に、二股の弾性腕部４a 、４b の間からボトルを外側横方向にスライドさせるように引き抜くことにより、容易に取り外すことができる。
【００２４】
尚、前記図１〜図４に示したボトル保持具１００は、２個のボトル保持部１a 、１b が連結部２で連結された場合の例を示したが、連結部２の形状を変更し、また、必要に応じて把手部の形状や取り付け方法などを変更することにより、３〜８個など複数のボトル保持部を備えたボトル保持具も容易に製造することができる。
【００２５】
次に、図５は、本発明のボトル保持具の別の一実施例の構成を説明する図であり、ボトル保持具が、２個のボトル保持部とそれを連結する連結部が一体化成形されてなるボトル保持体と、それに取り付けられる別に成形された把手部の２パーツで形成される場合の一例の構成を示し、（イ）は、ボトル保持体の平面図、（ロ）は、そのボトル保持体の正面図、（ハ）は、そのボトル保持体に取り付けられる把手部の正面図である。
また、図６は、図５の（イ）、（ロ）に示したボトル保持体に、（ハ）に示した把手部を取り付けて形成したボトル保持具の正面図である。
そして、図７は、図６に示したボトル保持具にボトルを装着した状態の一例を示す要部の正面図である。
【００２６】
図５の（イ）、（ロ）に示したボトル保持体２０は、図において左右両側のボトル保持部１a 、１b と、そのボトル保持部１a 、１b を連結する連結部２がプラスチックの射出成形により一体化成形されて形成されている。
ボトル保持部１a 、１b は、前記図１〜図４に示したボトル保持具１００に設けたボトル保持部１a 、１b と同じ構成であり、それぞれボトルのキャップ部を両側から抱え込むように保持する二股の弾性腕部４a または弾性腕部４b を有し、且つ、弾性腕部４a 、４b の内側の下部には、それぞれキャップの下側またはボトルの口部の基部に設けられた鍔状凸部の下側に係合してボトルを係止する突起部５a または突起部５b が設けられて構成されている。
そして、ボトル保持部１a 、１b を連結する連結部２は、この場合も外形は直方体形状であるが、これに取り付ける把手部〔図５の（ハ）参照〕の形状と取り付け方法が異なるため、連結部２の左右両側に形成されたボトル保持部１a 、１b の近傍に、把手部に設けられた雄型嵌合部（差し込み部）と嵌合して把手部を取り付けるための雌型嵌合部、即ち、差し込み穴８、８が設けられて構成されている。
尚、連結部２の前記両側の差し込み穴８、８の間の下側には、必要に応じて樹脂の使用量を少なくするための空洞部９を設けてもよい。
【００２７】
図５の（ハ）に示した把手部３c は、バンド状、紐状などに形成されたコの字状の握り部１０と、その両側の端部に設けられた係止爪１２とストッパー１３からなる差し込み部１１（雄型嵌合部）で形成されている。
このような構成の把手部３c を、前記図５の（イ）、（ロ）に示した構成のボトル保持体２０に取り付ける際には、ボトル保持体２０の連結部２の左右両側に設けられた差し込み穴８、８に、把手部３c の両側の差し込み部１１、１１をストッパー１３の位置まで差し込むことにより、容易に差し込み部１１、１１を係止爪１２とストッパー１３で、ボトル保持体２０の差し込み穴８、８に嵌合させて、把手部３c を取り付けることができ、それにより、図６に示した構成のボトル保持具２００を作製することができる。
【００２８】
また、図６に示した構成のボトル保持具２００にボトルを装着する際には、ボトル保持具２００の両側に形成されたボトル保持部１a 、１b が、前記図１〜図４に示したボトル保持具１００の両側に形成されたボトル保持部１a 、１b と同じ構成であるため、ボトル保持部１a 、１b の外側から、例えば、ボトルのキャップ６０、６１の下側に、二股の弾性腕部４a 、４b の内側下部に設けられた突起部５a 、５b が入り込んでボトル５０、５１を係止できるように、ボトルのキャップ部を横方向に押し込むことにより、図７に示したように、ボトル保持具２００の両側にボトル５０、５１を容易に装着することができる。
また、ボトル保持具２００から、装着されたボトルを取り外す際には、装着時とは逆に、二股の弾性腕部４a 、４b の間からボトルを外側横方向にスライドさせるように引き抜くことにより、容易に取り外すことができる。
この場合も、ボトル保持具２００には、２個のボトル保持部１a 、１b が連結部２で連結された場合の例を示したが、連結部２の形状を変更することにより、ボトル保持部の数を増やすことは容易であり、３〜８個など複数のボトルを保持できるボトル保持具も容易に製造することができる。
【００２９】
【発明の効果】
以上、詳しく説明したように、本発明によれば、複数本のボトルをまとめて保持し、持ち運びすることのできるボトル保持具であって、
プラスチックの射出成形などにより容易に製造することができ、生産性がよく、ボトルの保持を、そのキャップ部またはキャップを含むボトルの口部の基部など一部で確実に行うことができるので、コンパクトな形状にすることができ、嵩張らず、コストも安く、また、十分な強度を有し、ボトルの装着および取り外しも簡単で、しかも、ボトルを持ち運ぶ際には、持ちやすく安全にボトルを持ち運びすることのできるボトル保持具を生産性よく提供できる効果を奏する。
【図面の簡単な説明】
【図１】本発明のボトル保持具の一実施例の構成を示す平面図である。但し、組み立て前の展開図で示した。
【図２】図１に示したボトル保持具の組み立て時（使用時）の形状を示す正面図である。
【図３】図２に示したボトル保持具のＡ−Ａ線断面図である。
【図４】図２に示したボトル保持具にボトルを装着した状態の一例を示す要部の正面図である。
【図５】本発明のボトル保持具の別の一実施例の構成を説明する図であり、ボトル保持具が、２個のボトルボトル保持部とそれを連結する連結部が一体化成形されてなるボトル保持体と、それに取り付けられる別に成形された把手部の２パーツで形成される場合の一例の構成を示し、（イ）は、ボトル保持体の平面図、（ロ）は、そのボトル保持体の正面図、（ハ）は、そのボトル保持体に取り付けられる把手部の正面図である。
【図６】図５の（イ）、（ロ）に示したボトル保持体に、（ハ）に示した把手部を取り付けて形成したボトル保持具の正面図である。
【図７】図６に示したボトル保持具にボトルを装着した状態の一例を示す要部の正面図である。
【符号の説明】
１a 、１b   ボトル保持部
２  連結部
３a 、３b 、３c   把手部
４a 、４b   弾性腕部
５a 、５b   突起部
６  薄肉部
７  穴
８  差し込み穴（雌型嵌合部）
９  空洞部
１０  握り部
１１  差し込み部（雄型嵌合部）
１２  係止爪
１３  ストッパー
２０  ボトル保持体
５０、５１  ボトル
６０、６１  キャップ
１００、２００  ボトル保持具
【図１】
0004090757.tif 000002
【図２】
0004090757.tif 000003
【図３】
0004090757.tif 000004
【図４】
0004090757.tif 000005
【図５】
0004090757.tif 000006
【図６】
0004090757.tif 000007
【図７】
0004090757.tif 000008